(57)【特許請求の範囲】
【請求項１】
ストロボ発光窓と、ピントセット位置が通常の被写体距離に固定された撮影レンズとが組み込まれた本体部の前面に着脱自在に取りつけられる近接撮影用アダプタにおいて、
本体部の前面に着脱されるアダプタ本体と、このアダプタ本体に固定された補助レンズと、遮光板に複数の開口を開けて構成され、ストロボ発光窓の周辺部からのストロボ光を通過させる開口よりも中央部からのストロボ光を通過させる開口を小さくしたマスク部材とからなり、アダプタ本体の装着により前記補助レンズは前記撮影レンズの前面に位置してピントセット位置を前記通常の被写体距離よりも近距離側に変更し、かつ前記マスク部材はストロボ発光窓の前面を覆ってストロボ光を減光するとともに、この減光の度合をストロボ発光窓の周辺部よりも中央部で大きくすることを特徴とする近接撮影用アダプタ。
【請求項２】
前記アダプタ本体は、その装着時に前記本体部の前面に設けられたファインダ対物窓を覆い、前面に凸面を向けたハーフミラーを備え、その反射像を観察して前面側からのフレーミングができるようにしたことを特徴とする請求項１記載の近接撮影用アダプタ。
【請求項３】
前記アダプタ本体は前記本体部の前面に装着される基板に対して起伏自在であり、アダプタ本体の起立により前記補助レンズ，マスク部材，ハーフミラーはそれぞれ撮影レンズ，ストロボ発光窓，ファインダ対物窓の前面から退避して通常の被写体距離での撮影が可能となることを特徴とする請求項２記載の近接撮影用アダプタ。
【請求項４】
前記基板及びアダプタ本体はプラスチックで一体成形されていることを特徴とする請求項３記載の近接撮影用アダプタ。
【請求項５】
前記基板をゴム紐によって前記本体部の前面に固定するとともに、前記ゴム紐の引張力によって前記アダプタ本体を起立する方向に付勢してあることを特徴とする請求項３又は４記載の近接撮影用アダプタ。
【発明の詳細な説明】
【０００１】
【発明の属する技術分野】
本発明は、ピントセット位置が通常の被写体距離で固定されたカメラに取り付けて用いられ、近接撮影を可能にするアダプタに関するものである。
【０００２】
【従来の技術】
現在、写真撮影用のカメラとしては用途や機能に応じて非常に多くの種類のものが製造され、販売されている。最近では、手軽に写真撮影を楽しむことができるように、本出願人によりレンズ付きフイルムユニットが製造販売されている。レンズ付きフイルムユニットは、撮影レンズやシャッタ装置などの撮影機構を組み込んだユニット本体に予め未露光の写真フイルムを内蔵させたもので、面倒な写真フイルムの装填操作を行うことなく、購入したその場ですぐに写真撮影ができるようにしたものである。また撮影後にもそのまま現像取扱い店に出せばよいという簡便性から、このレンズ付きフイルムユニットは一般に広く利用されている。
【０００３】
このようなレンズ付きフイルムユニットにおいても、例えば「Ｓｕｐｅｒ写ルンですＨｉ」（商品名）等のように基本的な撮影機構のみを組み込んだものから、「Ｓｕｐｅｒ写ルンですＦｌａｓｈ」（商品名）等のようにストロボ装置を備え、夜間や室内での撮影を可能にしたものなど様々な種類があり、ユーザーは用途に応じたものを選択することができる。最近では、手軽に撮影できるというだけではなく、レンズ付きフイルムユニットを用いながらも、ポートレート写真を撮ったり、あるいはペットや植物をクローズアップして撮影する等、至近距離にある被写体を撮影したいという要望が増えている。
【０００４】
【発明が解決しようとする課題】
このレンズ付きフイルムユニットは、低価格で提供できることを利点としており、可能な限りローコストで製造する必要性から、非常に簡単な構成となっている。このため、レンズ付きフイルムユニットにおいては、撮影レンズは一定径の絞り開口が形成されたレンズホルダー上に位置決め保持されており、そのピントセット位置を変化させることはできない。しかも、撮影レンズのピントセット位置は、より多くの撮影機会において標準的な撮影が行えるように設定されており、一般的に被写界深度を考慮したうえで被写体距離１ｍ〜∞にピントがあうように構成されている。このため、レンズ付きフイルムユニットでは、被写体距離が１ｍよりも近くなるとピントをあわせることが不可能となり、その像を写真フイルム上に鮮鋭に結像させることはできない。
【０００５】
一眼レフカメラ等の一般のカメラにおいては、ピントセット位置を通常よりも近距離側に変更する補助レンズを備えた専用のアダプタが用意されており、これを撮影レンズの前面に取り付けることで近接撮影が可能となる。もちろん、レンズ付きフイルムユニットにおいてもこの方法を用いることは可能ではあるが、前述したようにレンズ付きフイルムユニットは低価格で提供できることを利点としているため、これに用いるアダプタについても可能な限りローコストで製造し、より安価に提供されることが要求される。
【０００６】
また、ストロボ装置を内蔵するレンズ付きフイルムユニットでは、ストロボの発光量は、被写体距離１ｍ〜４ｍの被写体が適正露光されるように予め決められている。したがって、このレンズ付きフイルムユニットを用いて至近距離からストロボ撮影を行うと、被写体輝度が過大となり、露光オーバーとなってしまう。しかも、ストロボ光は、通常の被写体距離での撮影範囲内に均一に照射されるように配光特性が決められているため、通常よりも近距離側に設定された撮影範囲内においては、その中央部に集光してしまい、周辺部との光量差が大きくなる。これにより、得られるプリント写真は、その中央部が極端に白くなってしまう。
【０００７】
本発明は、上記の事情を考慮してなされたもので、近接撮影を可能にし、しかも安価に製造できる近接撮影用アダプタを提供することを目的とする。
【０００８】
【課題を解決するための手段】
上記目的を達成するために、請求項１及び請求項２に記載の近接撮影用アダプタは、本体部の前面に着脱されるアダプタ本体と、このアダプタ本体に固定された補助レンズと、遮光板に複数の開口を開けて構成し、ストロボ発光窓の周辺部からのストロボ光を通過させる開口よりも中央部からのストロボ光を通過させる開口を小さくしたマスク部材とから構成され、アダプタ本体の装着により補助レンズが撮影レンズの前面に位置してピントセット位置を通常の被写体距離よりも近距離側に変更し、かつマスク部材はストロボ発光窓の前面を覆ってストロボ光を減光するとともに、この減光の度合をストロボ発光窓の周辺部よりも中央部で大きくするものである。また、アダプタ本体に、その装着時に本体部の前面に設けられたファインダ対物窓を覆い、前面に凸面を向けたハーフミラーを設け、その反射像を観察して前面側からのフレーミングができるようにするのがよい。
【０００９】
さらに、請求項３ないし請求項５に記載の近接撮影用アダプタは、アダプタ本体が本体部の前面に装着される基板に対して起伏自在であり、アダプタ本体の起立により補助レンズ，マスク部材，ハーフミラーがそれぞれ撮影レンズ，ストロボ発光窓，ファインダ対物窓の前面から退避して通常の被写体距離での撮影が可能となるものである。なお、基板及びアダプタ本体はプラスチックで一体成形するのがよい。また、基板をゴム紐によって本体部の前面に固定するとともに、このゴム紐の引張力によってアダプタ本体を起立する方向に付勢しておくのがよい。
【００１０】
【発明の実施の形態】
図５は、ストロボ内蔵型のレンズ付きフイルムユニットの一例を示すものである。ユニット本体１１は主にプラスチック成形され、全体を外装体１２によって覆われている。外装体１２は、レンズ付きフイルムユニット１０の外観を綺麗にするためのものであり、外面に印刷が施された紙箱等が用いられる。外装体１２の所要部には、撮影レンズ１３，ファインダ対物窓１４，ストロボ発光部１５，ストロボ充電スイッチ１６，シャッターボタン１７，巻上げノブ１８，及びカウンタ窓１９等を外部に露呈させるための開口が設けられており、この外装体１２をユニット本体１１に被せたままの状態で撮影操作が行えるようになっている。撮影レンズ１３は、被写体距離が１ｍ〜∞で撮影が可能となるように、そのピントセット位置が被写体距離５ｍ〜６ｍ程度に設定されている。またストロボ発光部１５からはストロボ光が放出され、その光量はプリント時の補正を考慮して、被写体距離１ｍ〜３ｍの被写体が適正露光となるように決められている。また、被写体距離１ｍ〜３ｍでの撮影範囲内に均一にストロボ光が照射されるように、ストロボ光の配光特性が決められている。
【００１１】
図１及び図２は、上記レンズ付きフイルムユニット１０に取り付けて用いる本発明の近接撮影用アダプタを示すものである。近接撮影用アダプタ２０は、アダプタ本体２１及び基部２２と、これらを連絡するための一対のヒンジ部２３ａ，２３ｂとから構成されている。アダプタ本体２１，基部２２，及びヒンジ部２３ａ，２３ｂは、樹脂により一体成形されている。ヒンジ部２３ａ，２３ｂはアダプタ本体２１及び基部２２よりも薄肉に形成されており、このヒンジ部２３ａ，２３ｂで屈曲自在となっている。アダプタ本体２１には、ヒンジ部２３ａ，２３ｂと近接する位置に一対の通し穴２４ａ，２４ｂが形成されている。この通し穴２４ａ，２４ｂには、表面側からゴム紐２５の両端部２５ａ，２５ｂが挿通され、裏面側で結び玉を形成してゴム紐２５が固定される。また基部２２には、ヒンジ部２３ａ，２３ｂとは反対側の端縁部に、ゴム紐２５の中央部２５ｃを係止するためのフック２７が設けられている。
【００１２】
この近接撮影用アダプタ２０は、図３に示すように、レンズ付きフイルムユニット１０の前面に基部２２で撮影レンズ１３及びファインダ対物窓１４を覆うように取り付けられ、ゴム紐２５をレンズ付きフイルムユニット１０の背面側から廻してフック２７に掛けることで固定される。アダプタ本体２１は、ヒンジ部２３ａ，２３ｂを軸にして、基部２２の前面に重ね合わせられる近接位置（同図（Ａ）参照）と、基部２２の上方に跳ね上げられた標準位置（同図（Ｂ）参照）との間で揺動自在になっている。そして近接撮影用アダプタ２０がレンズ付きフイルムユニット１０の前面に取り付けられると、アダプタ本体２１はゴム紐２５の引張力によって標準位置側に付勢されている。
【００１３】
図１及び図２において、基部２２とアダプタ本体２１とには一対の係合爪２８ａ，２８ｂが設けられており、これらが互いに係合したときにアダプタ本体２１がゴム紐２５の引張力に抗して近接位置で位置決め保持される。基部２２側の係合爪２８ａの周囲にはスリット２８ｃが形成されており、係合爪２８ａの前面２８ｄを押圧すると、係合爪２８ａが撓んで係合爪２８ｂとの係合が解除される。基部２２にはヒンジ部２３ａ，２３ｂの間に突起２９が設けられており、アダプタ本体２１が近接位置から標準位置側に移動したときに、この突起２９がアダプタ本体２１に当接して更なる移動を阻止する。これにより、アダプタ本体２１は標準位置で位置決めされる。なお、アダプタ本体２１の周辺部には裏面側に突出した外周壁２１ａが設けられており、アダプタ本体２１が近接位置に位置決めされたときに、外周壁２１ａが基部２２の側方に覆い被さり、基部２２とアダプタ本体２１との間に外光が入り込むことを防止している。
【００１４】
基部２２には、レンズ付きフイルムユニット１０の前面に露呈している撮影レンズ１３及びファインダ対物窓１４をそれぞれ露呈させるための２つの露呈開口３１，３２が形成されている。またアダプタ本体２１には、２つの開口３３，３４が形成されている。これらの開口３３，３４は、アダプタ本体２１が近接位置に位置決めされたときに、基部２２に設けられた露呈開口３１，３２と各々対峙する位置に形成されており、開口３３には補助レンズ３５が、また開口３４には被写体光の一部を反射する凸面状のハーフミラー３６がそれぞれ嵌め込まれている。補助レンズ３５は、ピントセット位置を通常の被写体距離よりも近距離側に変更するもので、焦点距離ｆが８０ｍｍ〜８００ｍｍ程度のレンズを用いればよい。本実施形態では、焦点距離が３２ｍｍ程度の撮影レンズ１３と併用したときに、被写界深度を考慮して被写体距離０．５ｍで撮影が可能となるように、焦点距離ｆが５００ｍｍのレンズを補助レンズ３５として用いた。またハーフミラー３６は、凸面の曲率半径Ｒを小さくするほどこのハーフミラー３６上に映る範囲が広がり、逆に曲率半径Ｒを大きくすると映る範囲が狭まる。本実施形態においては、被写体距離０．５ｍでの撮影範囲がこのハーフミラー３６上に丁度映るように曲率半径Ｒを設定した。
【００１５】
またアダプタ本体２１には、側方に突出してマスク部３７が一体に設けられている。マスク部３７には、大きさの異なる３種類の穴３８ａ，３８ｂ，３８ｃが複数形成されている。マスク部３７の中央部には最も小さな穴３８ａが主に形成され、中央部から離れるにしたがってより大きな穴３８ｂ，３８ｃが形成されている。このマスク部３７は、アダプタ本体２１が近接位置に位置決めされたときにストロボ発光部１５の前面に配置され、ストロボ発光部１５から放たれたストロボ光の光束の一部を遮る。
【００１６】
マスク部３７の各部の遮光量は、穴３８ａ，３８ｂ，３８ｃの占める面積に反比例するので、面積が最も小さくなる中央部で最も多くなり、面積が最も大きくなる周辺部に近づくにしたがって減少する。穴３８ａ，３８ｂ，３８ｃの各々の大きさ及び形成個数は、ストロボ発光部１５から放たれるストロボ光の光量，拡散の程度，及び主要被写体までの距離に応じて定めればよい。発明者らの測定によれば、通常の被写体距離でストロボ撮影を行って被写体が適正露光となる光量のストロボ光を放出した場合、被写体距離０．５ｍの被写体に対しては、ストロボ光を（１／１０）〜（１／５）光量の範囲内に減光すれば、実用上問題のない露光量の被写体像を得られることが確認されている。また、ストロボ発光部１５から放たれるストロボ光は、ストロボ発光部１５の周辺部での光量が中央部の光量の５０％以上であれば、被写体距離１ｍよりも近距離に規定された撮影範囲内にほぼ均一に照射されることが確認された。そこで、本実施形態においては、ストロボ発光部１５から放たれるストロボ光のうち９０％の光束を遮り、１０％光量のストロボ光のみが被写体に向けて照射されるようにした。また、マスク部３７の周辺部を通過するストロボ光の光量が中央部を通過する光量の６５％程度となるように、穴３８ａ，３８ｂ，３８ｃの大きさ，形成個数，及び配置を決定した。そして図４に示すように、マスク部３７の縦横の長さＡ，Ｂを各々１４．０ｍｍ，２４．５ｍｍ、穴３８ａ，３８ｂ，３８ｃの各径をそれぞれ１．０ｍｍ，１．８ｍｍ，２．５ｍｍとし、穴３８ａ，３８ｂ，３８ｃの形成個数をそれぞれ８個，１６個，８個とした。また、穴３８ａ，３８ｂ，３８ｃの配置は図４に示したとおりである。
【００１７】
上記のように構成された近接撮影用アダプタ２０の製造工程においては、まずアダプタ本体２１，基部２２，及びヒンジ部２３ａ，２３ｂが樹脂により成形される。次に、アダプタ本体２１の開口３３，３４に背面側から補助レンズ３５とハーフミラー３６とが嵌め込まれる。この後、ゴム紐２５の両端部２５ａ，２５ｂが、アダプタ本体２１の通し穴２４ａ，２４ｂに表面側から挿通され、裏面側で結び玉が形成される。これにより、ゴム紐２５がアダプタ本体２１に固定される。そして、基部２２の表面にアダプタ本体２１の裏面が当接するようにヒンジ部２３ａ，２３ｂを折り曲げ、一対の係合爪２８ａ，２８ｂを係合させると、近接撮影用アダプタ２０が完成する。
【００１８】
この製造工程においては、アダプタ本体２１，基部２２，及びヒンジ部２３ａ，２３ｂが一体に成形され、単一部品となっているので、その取り扱いが容易である。また、アダプタ本体２１上に補助レンズ３５，ハーフミラー３６，及びゴム紐２５の３部品を組み付けるだけなので、複雑な工程を要することなく、簡単に近接撮影用アダプタ２０を組み立てることができる。しかも、構成部品数が少ないので、部材管理が簡便になる。さらに、ゴム紐２５は廉価で入手がし易いので近接撮影用アダプタ２０をより安価に製造することができる。
【００１９】
この近接撮影用アダプタ２０をレンズ付きフイルムユニット１０に取り付ける場合には、まず基部２２の裏面をレンズ付きフイルムユニット１０の前面に当接させ、開口３１，３２内に撮影レンズ１３及びファインダ対物窓１４が入り込むように位置決めする。そして、ゴム紐２５の中央部２５ｃを引っ張り、レンズ付きフイルムユニット１０の上面，背面，及び底面に廻してフック２７に掛けると、近接撮影用アダプタ２０がレンズ付きフイルムユニット１０の前面に固定される。
【００２０】
レンズ付きフイルムユニット１０を用いて撮影を行うときには、撮影者は、まず巻上げノブ１８の回動がロックされるまで回動操作し、撮影準備が完了してシャッターチャージ状態にあることを確認する。
【００２１】
撮影者が自らを被写体として撮影を行うときには、アダプタ本体２１を近接位置に移動し、係合爪２８ａ，２８ｂを係合させて基部２２の前面に固定する。これにより、撮影レンズ１３及びファインダ対物窓１４の前面に、それぞれ補助レンズ３５及びハーフミラー３６が配置される。また、ストロボ発光部１５の前面にはマスク部３７が配置される。そしてストロボ撮影を併せて行うときには、ストロボ充電スイッチ１６を押圧してストロボ発光用の電荷を充電する。
【００２２】
撮影者は、レンズ付きフイルムユニット１０を自身に向けて構え、ハーフミラー３６を観察しながら、このハーフミラー３６上に自身の像が収まるようにフレーミングする。この後シャッターボタン１７を押圧すると、ストロボ発光部１５からストロボ光が放出され、このストロボ光を照射された撮影者の像が写真フイルムに露光される。
【００２３】
この際、撮影レンズ１３の前面に補助レンズ３５が配置され、ピントセット位置が通常の被写体距離よりも近距離側に変更されているので、主要被写体である撮影者の顔にピントがあっており、写真フイルム上には鮮鋭な像が結像される。また、ストロボ発光部１５の前面にマスク部３７が配置されているので、ストロボ発光部１５から放出されたストロボ光は光束の一部が遮られ、穴３８ａ，３８ｂ，３８ｃを通過した光束のみが被写体に照射される。したがって、至近距離にある撮影者に照射されるストロボ光の光量が抑えられ、適正露光の被写体像が得られる。またマスク部３７は、その中央部に小さな穴３８ａを主に形成し、中央部から離れるにしたがってより大きな穴３８ｂ，３８ｃを配置しているので、ストロボ発光部１５から放たれ、マスク部３７を通過したストロボ光は、中央部と周辺部との光量差が小さくなり、通常よりも近距離にある撮影範囲内の全域に偏りなく照射される。したがって、写真フイルム上には自然な被写体像が露光される。さらに、ハーフミラー３６の表面が凸面状に形成され、被写体距離０．５ｍでの撮影範囲が映るように構成されているので、このハーフミラー３６上に映った像とほぼ同じ構図の像が露光される。
【００２４】
また、例えば花のクローズアップ撮影を行う場合には、撮影者はアダプタ本体２１を近接位置にセットした後に、花に近接した位置でレンズ付きフイルムユニット１０を構える。そして、ファインダ接眼窓（図示せず）から覗き込んでフレーミングを行う。この際、ファインダ対物窓１４の前面にハーフミラー３６が位置しているが、このハーフミラー３６は被写体光の一部を反射するだけなので、撮影者は、ファインダ接眼窓，ファインダ対物窓１４，及びハーフミラー３６を通して花の像を容易に確認することができ、ハーフミラー３６がフレーミングの妨げとなることはない。そしてシャッターボタン１７を押圧すると、花の像が写真フイルム上に露光される。この場合においても、撮影レンズ１３の前面に補助レンズ３５が位置し、ピントセット位置が通常よりも近距離側に変更されているので、至近距離にある花の像は写真フイルム上に鮮鋭に結像される。
【００２５】
一方、標準撮影を行う場合には、撮影者は係合爪２８ａの前面２８ｄを押圧して係合爪２８ａ，２８ｂの係合を解除する。アダプタ本体２１の上方にはゴム紐２５の端部２５ａ，２５ｂが係止され、ゴム紐２５の引張力によってアダプタ本体２１が標準位置側に付勢されているので、係合爪２８ａ，２８ｂの係合を解除すると同時に、アダプタ本体２１が上方に跳ね上げられる。そして、アダプタ本体２１が基部２２とほぼ水平になるまで跳ね上げられ、その端部が基部２２に設けられた突起２９に当接すると、アダプタ本体２１の移動が停止する。これにより、撮影レンズ１３及びファインダ対物窓１４の前面から補助レンズ３５及びハーフミラー３６が退避され、基部２２の開口３１，３２から撮影レンズ１３及びファインダ対物窓１４が露呈する。また、ストロボ発光部１５の前面からマスク部３７が退避する。
【００２６】
ストロボ撮影を行う場合には、撮影者はストロボ充電スイッチ１６を押圧してストロボ発光用の電荷を充電する。この後、撮影者がファインダ接眼窓から覗き込んでフレーミングを行い、シャッターボタン１７を押圧すると、ストロボ発光部１５からストロボ光が放出され、このストロボ光を照射された被写体像が撮影レンズ１３を通して写真フイルム上に露光される。この際、撮影レンズ１３の前面から補助レンズ３５が退避し、被写体距離１ｍ〜∞でピントがあうようになっているので、写真フイルム上には鮮鋭な被写体像が結像される。また、ストロボ発光部１５の前面からマスク部３７が退避しているので、ストロボ発光部１５から放出されたストロボ光の全光束が被写体に照射され、適正露光の被写体像が得られる。
【００２７】
なお、上記実施形態では、マスク部に正円状の穴を形成する例について説明したが、開口の形状は角形や矩形としてもよく、これらを混在させてもよい。また、開口の大きさも３種類に限るものではなく、より多くの種類の開口を組み合わせることで、ストロボ光の配光性をより良化させることができる。さらに、開口の内周壁に傾斜をもたせ、被写体側に近づくにしたがって径が大きくなるようにるように形成してもよい。
【００２８】
また、上記実施形態では、近接撮影用アダプタをレンズ付きフイルムユニットに取り付けて用いる場合について説明したが、本発明の近接撮影用アダプタは、レンズ付きフイルムユニットに限定されるものではなく、ピントセット位置を変化させることができず、近接撮影が不可能なカメラであればいずれのカメラにでも適用することができる。
【００２９】
また、上記実施形態では、ストロボ内蔵型のカメラに用いるアダプタについて説明したが、ストロボ装置を備えていないカメラに用いる場合には、切換え部にマスク部を設ける必要はない。
【００３０】
【発明の効果】
以上のように本発明の近接撮影用アダプタによれば、アダプタ本体にピントセット位置を通常の被写体距離よりも近距離側に変更する補助レンズと、ストロボ光を減光するマスク部材とを固定し、このアダプタ本体を本体部の前面に装着することで補助レンズとマスク部材とが撮影レンズ及びストロボ発光窓の前面に位置決めされるので、このアダプタ本体を本体部に装着すればピントセット位置が通常よりも近距離側に変更されるとともに、被写体に向けて照射されるストロボ光が減光される。したがって、この状態で至近距離から撮影を行えば、被写体にピントが合い、鮮鋭な被写体像を得ることができる。また、ストロボ撮影を併用したとしても、近距離の被写体に過多光量のストロボ光が照射されることが防止され、適正露光の被写体像を得ることができる。さらに、マスク部材によるストロボ光の減光量を、ストロボ発光窓の周辺部よりも中央部で大きくしてあるので、このマスク部材を通過したストロボ光は、中央部と周辺部との光量差が小さくなり、通常よりも近距離側に規定された撮影範囲の全域に均一な光量で照射される。
【００３１】
また、アダプタ本体に被写体光の一部を反射する凸面状のハーフミラーを取り付けておき、このアダプタ本体をカメラに装着したときにハーフミラーがファインダ対物窓を覆うようにしてあるので、ハーフミラー上に撮影者自身が映るようにフレーミングを行えば、自らの像を写真フイルムに鮮鋭に写し込むことができる。しかも、ハーフミラーが凸面を前面に向けて設けられているので、このハーフミラー上には通常よりも近距離での撮影範囲の像が映る。したがって、ハーフミラー上に映った像と同じ構図で被写体像が結像される。さらに、ハーフミラーは被写体光の一部を反射するだけなので、このハーフミラーをファインダ対物窓の前面に配置したままで、ファインダーを通して被写体を確認することができる。したがって、クローズアップ撮影を行う場合においても、ハーフミラーがフレーミングの妨げとなることはない。
【００３２】
また、アダプタ本体を本体部の前面に装着される基板に対して起伏自在とし、アダプタ本体の起立により補助レンズ，マスク部材，ハーフミラーがそれぞれ撮影レンズ，ストロボ発光窓，ファインダ対物窓の前面から退避して通常の撮影距離での撮影が可能となるので、このアダプタ本体の起伏によって通常撮影と近接撮影とを切換えて行うことが可能となる。また、アダプタ本体と基板とをプラスチックで一体に成形すると単一部品として構成されるので、その取り扱いが容易になるとともに、構成部品数が少なくなるので部材管理が簡便になり、安価に近接撮影用アダプタを製造することができる。しかも、アダプタ本体に補助レンズ及びハーフミラーを組み付けるだけなので、複雑な工程を要することなく、近接撮影用アダプタを簡単に組み立てることができる。また、焦点距離の異なる補助レンズを複数種類用意しておき、撮影レンズのピントセット位置に応じた補助レンズを選択して組み付けるようにすれば、同じ製造工程で、様々な本体部に対応したアダプタを製造することができる。
【図面の簡単な説明】
【図１】本発明の近接撮影用アダプタの構成を示す概略図である。
【図２】図１に示した近接撮影用アダプタの要部断面図である。
【図３】本発明の近接撮影用アダプタをレンズ付きフイルムユニットに取り付けた状態を示す説明図で、（Ａ）はアダプタ本体が近接位置に、（Ｂ）はアダプタ本体が標準位置に位置決めされている状態を表している。
【図４】マスク部の構成を示す説明図である。
【図５】ストロボ内蔵型レンズ付きフイルムユニットの外観図である。
【符号の説明】
１０  レンズ付きフイルムユニット
１１  ユニット本体
１３  撮影レンズ
１４  ファインダ対物窓
１５  ストロボ発光部
２０  近接撮影用アダプタ
２１  アダプタ本体
２２  基部
２３ａ，２３ｂ  ヒンジ部
３５  補助レンズ
３６  ハーフミラー
３７  マスク部
３８ａ，３８ｂ，３８ｃ  穴
【図１】
0003623565.tif 000002
【図２】
0003623565.tif 000003
【図３】
0003623565.tif 000004
【図４】
0003623565.tif 000005
【図５】
0003623565.tif 000006